(57)【要約】      （修正有）【課題】光源からの光の利用効率を向上させて小型化を図ることができる照明器具を提供する。【解決手段】照明器具１０は、光源１２と、光源１２からの光を照射方向下方に向けて反射させる主反射面１４と、光源１２からの光を主反射面１４に向けて反射させる副反射面１５と、を備える。副反射面が、複数段に分割して設けられている。副反射面は反射して戻る光が光源に戻らないように、複数の曲面または平面を備える。主反射面および副反射面のうちの少なくとも一方は、赤外線または紫外線を反射しないコールドミラーである。【選択図】図１
2010027499.tif 000002
【特許請求の範囲】
【請求項１】
光源と、
前記光源からの光を照射方向下方に向けて反射させる主反射面と、
前記光源からの光を前記主反射面に向けて反射させる副反射面と、
を備えたことを特徴とする照明器具。
【請求項２】
前記副反射面が、複数段に分割して設けられていることを特徴とする請求項１記載の照明器具。
【請求項３】
前記副反射面は、反射して戻る光が前記光源に戻らないように、複数の曲面または平面を備えていることを特徴とする請求項１または２記載の照明器具。
【請求項４】
前記主反射面および前記副反射面のうちの少なくとも一方は、赤外線または紫外線を反射しないコールドミラーであることを特徴とする請求項１〜３のいずれか１項記載の照明器具。
【発明の詳細な説明】
【技術分野】
【０００１】
本発明は、例えば美術館の絵画や彫刻の個別照明や構造物の廊下のアクセント照明に用いられて指向性を有してスポット照明を行う狭角配光型の照明器具に関する。
【背景技術】
【０００２】
従来の照明器具の一例として、光源の外側に反射面を備えた照明器具が知られている（例えば、特許文献１参照）。
【特許文献１】特開２００７−７３４６１号公報（図１、段落番号００２８）
【発明の開示】
【発明が解決しようとする課題】
【０００３】
ところが、特許文献１に開示された照明器具では、反射面は、光源の中心を焦点として光源からの光を直下方向に反射する。具体的には、特許文献１の照明器具は、光源の中心を焦点として、放物線を描くように一定の湾曲率を有する。
そのため、光源からの光の利用効率を上げ難い。すなわち、特許文献１の照明器具は、光源からの光の利用効率を上げるには反射面の外径を大きくしなければならず、それによって、照明器具が大型化する虞がある。
【０００４】
本発明は、前述した要望を満たすためになされたもので、その目的は、光源からの光の利用効率を向上させることにより小型化を図ることができる照明器具を提供することにある。
【課題を解決するための手段】
【０００５】
本発明の照明器具は、光源と、前記光源からの光を照射方向下方に向けて反射させる主反射面と、前記光源からの光を前記主反射面に向けて反射させる副反射面と、を備えたことを特徴とする。
【０００６】
本発明においては、光源からの光が、主反射面によって照射方向下方に向けて反射されるとともに、副反射面によって主反射面に向けて反射された後に照射方向下方に向けて反射される。
よって、主反射面からの光と、副反射面からの光と、によって照射方向への光を増加させることにより、照射範囲の明るさが向上することになる。
すなわち、本発明においては、光源からの光を有効に利用することにより、照明効率が向上するため、従来と同等の明るさを得ながら小型化を図ることになる。
【０００７】
また、本発明においては、狭角配光で問題になりやすい、照射面における照明器具を構成する部品等の映り込みによる陰や光むらを解消することができる。
さらに、本発明においては、光源としての例えばセラミックメタルハライドランプ等を水平点灯した場合、光色分離に伴う照射面の色むらを解消することができる。
そして、本発明においては、光源からの光が、反射面の上部や下部から漏れて照明器具を構成する灯具の内部を照射することによる灯具の照明器具温度の上昇を抑制することができるとともに光もれを解消することができる。
【０００８】
また、本発明の照明器具は、前記副反射面が、複数段に分割して設けられていることを特徴とする。
【０００９】
本発明においては、光を増加させるための副反射面が複数段に分割して設けられているため、照射範囲の明るさが向上することになる。
従って、本発明においては、光源からの光の利用効率をさらに向上させることにより、さらなる小型化を図ることができる。
【００１０】
また、本発明の照明器具は、前記副反射面は、反射して戻る光が前記光源に戻らないように、複数の曲面または平面を備えていることを特徴とする。
ここで、曲面としては、二次元あるいは三次元に湾曲する凹状面あるいは凸状面を例示できる。また、平面としては、光源を中心とする放射線に対して傾斜配置しておけばよい。
【００１１】
本発明においては、副反射面の複数の曲面または平面により、反射して戻る光が光源に戻らないため、主反射面に向けて光が反射するように副反射面を適宜配向しておけばよい。
よって、反射した光源の光を有効に照射方向に反射させることになる。
【００１２】
さらに、本発明の照明器具は、前記主反射面および前記副反射面のうちの少なくとも一方は、赤外線または紫外線を反射しないコールドミラーであることを特徴とする。
【００１３】
本発明においては、主反射面および副反射面のうちの少なくとも一方がコールドミラーであるために、赤外線または紫外線を吸収または透過することができる。
よって、光源の温度上昇や紫外線による劣化を低減解消することになる。
【発明の効果】
【００１４】
本発明の照明器具によれば、光源からの光を照射方向下方に向けて反射させる主反射面と、光源からの光を主反射面に向けて反射させる副反射面と、を備えている。
これにより、光源からの光を有効に利用することにより、従来と同等の明るさを得ながら小型化を図ることができるという効果を有する。
【発明を実施するための最良の形態】
【００１５】
以下、本発明の複数の実施形態に係る照明器具について、図面を参照して説明する。
【００１６】
（第１実施形態）
図１に示すように、本発明の第１実施形態の照明器具１０は、灯具ケース１１と、灯具ケース１１に収納された光源１２と、灯具ケース１１の内側において光源１２の光を反射する反射板１３と、を備えている。
この照明器具１０は、例えば構造物の天井や壁面に取り付けられて被照明物に向けられる。
【００１７】
灯具ケース１１は、硬質の樹脂材料や金属材料によって成形されており、円盤状の天板１６と、天板１６の周縁に連結された円筒状の側板１７と、を有し、硬質の樹脂材料や金属材料によって有底円筒形状に成形されている。
天板１６は、灯具ケース１１の内側を向く面に光源１２を支持するソケット１８を装備している。
側板１７は円筒形に形成されており、上端部を天板１６の外側縁部に固定している。側板１７の開放側端部には透光性を有する前面パネルを組み付けても良い。
【００１８】
光源１２は、高圧ナトリウムランプやメタルハライドランプ（セラミックメタルハライドランプ）や水銀ランプであるＨＩＤランプ（High Intensity Discharged Lamp）であり、単一の焦点を有するバルブである。光源１２は、ランプバルブ１９を有してソケット１８に装着されている。
【００１９】
反射板１３は、金属材料や硬質の樹脂材料を用いて成形されており、光源１２寄りに配置された主反射面１４と、側板１７の開放側に配置された副反射面１５と、を一体に備えている。
【００２０】
主反射面１４は、三次元方向に湾曲した曲面が光源１２を中心として環状に連続する略凹状半球面とされ、天板１６から離れる方向（図１中、下方）に向かって拡開するように配向されている。
従って、光源１２が発した光α１は、主反射面１４に反射され、灯具ケース１１の開放側端部から照射される。
【００２１】
副反射面１５は、光源１２を中心として環状に連続し、かつ、天板１６に近付く方向（図１中、上方）に向かって拡開するように配向されている。
図２にも示すように、副反射面１５は、複数の曲面２２により構成されている。曲面２２は、光源１２に向かって突出する球面とされ、光源１２を中心とする点対称位置に配置されている。これらの曲面２２は、光源１２からの光α２が光源１２に戻らないように配向されている。
【００２２】
従って、光源１２が発した光α２は、副反射面１５に反射された後に主反射面１４に向けて進行され、主反射面１４に反射され、灯具ケース１１の開放側端部から照射される。
なお、この第１実施形態における副反射面１５は、光源１２に向かって突出する複数の曲面２２により構成されているが、光源１２からの光α２が光源１２に戻らないように配向されていればよく、例えば円弧面や平面を採用してもよい。
【００２３】
これらの主反射面１４および副反射面１５は、コールドミラー層２０，２１を有している。コールドミラー層２０，２１は、ＳｉＯ２，ＴｉＯ２からなる膜を複数積層させることにより形成されている。このようなコールドミラー層２０，２１は、可視光のみを反射し、赤外線、紫外線を反射せずに吸収、透過する性質を有する。
なお、副反射面１５は、主反射面１４との接続部分に光源１２からの光α１，α２を照射させないように配向されている。
【００２４】
照明器具１０は、主反射面１４と副反射面１５とを備えて、外径寸法を６０ｍｍ、高さ寸法を７０ｍｍの超小型の外形として、６８度の光利用角度θ１を得ることができる。
【００２５】
前述した第１実施形態の照明器具１０によれば、光源１２からの光α１が主反射面１４により照射方向下方に向けて反射され、光源１２からの光α２が副反射面１５により主反射面１４に向けて反射されてから照射方向下方に向けて反射される。
よって、主反射面１４からの光α１と、副反射面１５からの光α２と、によって照射方向への光を増加させることにより、照射範囲の明るさが向上することになる。
すなわち、第１実施形態によれば、光源１２からの光α１，α２を有効に利用することにより、照明効率が向上するため、従来と同等の明るさを得ながら小型化を図ることになる。
【００２６】
また、第１実施形態の照明器具１０によれば、狭角配光で問題になりやすい、照射面における照明器具１０を構成する部品等の映り込みによる陰や光むらを解消することができる。
さらに、第１実施形態の照明器具１０によれば、光源１２としての例えばセラミックメタルハライドランプ等を水平点灯した場合、光色分離に伴う照射面の色むらを解消することができる。
そして、第１実施形態の照明器具１０によれば、光源１２からの光α１，α２が、反射板１３の上部や下部から漏れて照明器具１０を構成する灯具の内部を照射することによる灯具の照明器具温度の上昇を抑制することができるとともに光もれを解消することができる。
【００２７】
さらに、第１実施形態の照明器具１０によれば、副反射面１５の複数の曲面２２により、反射して戻る光α２が光源１２に戻らないため、主反射面１４に向けて光α２が反射するように副反射面１５を配向した。
よって、反射した光源の光α２を有効に照射方向に反射させることになる。
【００２８】
加えて、第１実施形態の照明器具１０によれば、主反射面１４および副反射面１５がコールドミラー層２０，２１を有するために、赤外線または紫外線を吸収または透過することができる。
よって、光源１２の温度上昇や紫外線による劣化を低減解消することができる。
【００２９】
（第２実施形態）
次に、図３、図４を参照して、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３０】
図３、図４に示すように、本発明の第２実施形態の照明器具３０は、主反射面３２と副反射面３３とを有する反射板３１を、第１実施形態に比べて天板１６に近づけて配置した。
【００３１】
照明器具３０は、主反射面３２と副反射面３３とを備えて、外径寸法を７０ｍｍ、高さ寸法を７０ｍｍの小型の外形として、８５度の光利用角度θ２を得ることができる。
【００３２】
第２実施形態の照明器具３０は第１実施形態と同様の作用効果を奏する。特に、第２実施形態では、第１実施形態よりも大径の照明器具３０を得ることができる。
【００３３】
（第３実施形態）
次に、図５、図６を参照して、本発明の第３実施形態の照明器具について説明する。
【００３４】
図５、図６に示すように、本発明の第３実施形態の照明器具４０は、主反射面４１と、複数段に分割された第１の副反射面４３および第２の副反射面４４と、を有する反射板４２を備えている。
【００３５】
第１の副反射面４３は、光源１２を中心として環状に連続し、かつ、天板１６に近付く方向（図１中、上方）に向かって拡開するように配向されている。第１の副反射面４３は、複数の曲面４６により構成されており、コールドミラー層４５を有する。
いる。
従って、光源１２が発した光α２は、第１の副反射面４３に反射された後に主反射面４１に向けて進行され、主反射面４１に反射され、灯具ケース１１の開放側端部から照射される。
【００３６】
第２の副反射面４４は、第１の副反射面４３の照射方向先端部に連設されている。第２の副反射面４４は、光源１２を中心として環状に連続し、かつ、天板１６に近付く方向（図５中、上方）に向かって拡開するように配向されている。第２の副反射面４４は、複数の曲面４８により構成されており、コールドミラー層４７を有する。
従って、光源１２が発した光α３は、第２の副反射面４４に反射された後に主反射面４１に向けて進行され、主反射面４１に反射され、灯具ケース１１の開放側端部から照射される。
【００３７】
照明器具４０は、主反射面４１と第１の副反射面４３と第２の副反射面４４とを備えて、外径寸法を６０ｍｍ、高さ寸法を７０ｍｍの超小型の外形として、８５度の光利用角度θ３を得ることができる。
【００３８】
第３本実施形態の照明器具４０によれば、光を増加させるための第１の副反射面４３、第２の副反射面４４を複数段に分割して設けているため、照射範囲の明るさが向上することになる。
従って、照明器具４０によれば、光源１２からの光の利用効率をさらに向上させることにより、さらなる小型化を図ることができる。
【００３９】
なお、前記各実施形態で使用した光源１２は例示したものに限定するものではなく適宜変更が可能である。
【図面の簡単な説明】
【００４０】
【図１】本発明に係る第１実施形態の照明器具の縦断面図
【図２】図１の照明器具の底面図
【図３】本発明に係る第２実施形態の照明器具の縦断面図
【図４】図３の照明器具の底面図
【図５】本発明に係る第３実施形態の照明器具の縦断面図
【図６】図５の照明器具の底面図
【符号の説明】
【００４１】
１０、３０、４０  照明器具
１２  光源
１３、３１、４２  反射板
１４、３２、４１  主反射面
１５、３３  副反射面
２０、２１、４５、４７  コールドミラー層（コールドミラー）
２２、４６、４８  曲面
４３  第１の副反射面（副反射面）
４４  第２の副反射面（副反射面）
【図１】
2010027499.tif 000003
【図２】
2010027499.tif 000004
【図３】
2010027499.tif 000005
【図４】
2010027499.tif 000006
【図５】
2010027499.tif 000007
【図６】
2010027499.tif 000008